(57)【要約】【課題】冷凍庫等の庫内側のダクトの周囲への霜の発生を防止することができる除霜用電熱器を提供する。【解決手段】冷凍庫等の内部と外部とを連通するダクト３の庫内側の外周に、庫内の壁面側に開口して連続する複数の凹溝５１を有する枠体４を配置し、枠体４の凹溝５１内に電熱線７を嵌入することにより、ダクト３の周囲を温める。これにより、冷凍庫等の庫内側のダクト３の周囲への霜の発生を防止することができる。【選択図】        図２
2008133985.tif 000002
【特許請求の範囲】
【請求項１】
食品等を保存する冷凍庫等の内部と外部とを連通するダクトの庫内側の外周に設けられる冷凍庫等における除霜用電熱器であって、
庫内の壁面側に開口して連続する複数の凹溝を有する枠体と、
上記凹溝内に嵌入される電熱線とを具備してなる、ことを特徴とする冷凍庫等における除霜用電熱器。
【請求項２】
請求項１記載の冷凍庫等における除霜用電熱器において、
上記枠体は、複数の押出形材を接合して形成され、
上記押出形材は、隣接同士が連通する係止溝が形成され、
上記押出形材同士を、上記係止溝内に嵌入して固定される連結部材を介して連結してなる、ことを特徴とする冷凍庫等における除霜用電熱器。
【請求項３】
請求項２記載の冷凍庫等における除霜用電熱器において、
上記係止溝は、狭隘開口部を有し、
上記連結部材は、隣接する押出形材の係止溝内に嵌入される固定片を有し、固定片に固定ねじを螺合可能なねじ孔を設けてなり、
上記固定片を上記係止溝内に嵌入した状態で、ねじ孔に螺合される固定ねじの先端部を係止溝の底部に押圧させて、固定片を係止溝の狭隘開口部に押圧固定してなる、ことを特徴とする冷凍庫等における除霜用電熱器。
【請求項４】
請求項１ないし３記載のいずれかに記載の冷凍庫等における除霜用電熱器において、
上記枠体は、複数の凹溝の内外方向において枠体の外部と連通する第１の電熱線の案内用切欠きを設け、隣接する凹溝の内外方向において対向する部位に第２の電熱線の案内用切欠きを設けてなる、ことを特徴とする冷凍庫等における除霜用電熱器。  
【発明の詳細な説明】
【技術分野】
【０００１】
この発明は、冷凍庫等における除霜用電熱器に関するもので、更に詳細には、例えば冷凍庫等のダクトの外周に配置される除霜用電熱器に関するものである。
【背景技術】
【０００２】
一般に、食品等を保存する冷蔵庫や冷凍庫等においては、その使用状態において内外で大きな温度差が生じている。この温度差がある状態で冷凍庫等の扉を開閉すると、温度の高い外気が一気に庫内に流入し、流入した外気が冷却されて負圧になる。また、扉を閉めた状態で冷却温度の調整や点検等で庫内温度が上昇すると庫内に正圧が加わる。
【０００３】
上記の現象は家庭用等の比較的小さい冷凍庫等では問題にはならないが、業務用の非常に規模の大きな冷凍庫等の場合には、負圧が加わると扉の開閉が困難になり、また、正圧が加わると扉が外れてしまうという問題があった。
【０００４】
上記の問題を解決するために、冷蔵庫に外気取り入れ口を設けて、冷蔵庫内の圧力を調節する構造のものが知られている（例えば、特許文献１参照）。
【特許文献１】特開２００２−２６７３４５号公報（特許請求の範囲、段落番号００１４〜００１９、図１）
【発明の開示】
【発明が解決しようとする課題】
【０００５】
しかしながら、特開２００２−２６７３４５号公報に記載の技術においては、外気の取り入れによる結露に対して、ドレンパンを設けることで結露を流入口から庫内に侵入させない構造であるが、冷蔵庫等の規模が大きくかつ庫内温度が低い場合にはダクト周囲に大量の霜が付着するので、ドレンパンによる結露の捕捉効果は期待できず、霜により流入口が閉塞されてしまうという虞があった。
【０００６】
この発明は、上記事情に鑑みてなされたのもので、冷凍庫等の庫内側のダクトの周囲への霜の発生を防止することができる冷凍庫等における除霜用電熱器を提供することを課題とする。
【課題を解決するための手段】
【０００７】
上記課題を解決するため、請求項１記載の発明は、食品等を保存する冷凍庫等の内部と外部とを連通するダクトの庫内側の外周に設けられる冷凍庫等における除霜用電熱器であって、  庫内の壁面側に開口して連続する複数の凹溝を有する枠体と、  上記凹溝内に嵌入される電熱線とを具備してなる、ことを特徴とする。
【０００８】
請求項１記載の発明によれば、ダクトの庫内側の外周に、庫内の壁面側に開口して連続する複数の凹溝を有する枠体を配置し、枠体の凹溝内に電熱線を嵌入することにより、ダクトの周囲を温めることができる。
【０００９】
また、請求項２記載の発明は、請求項１記載の冷凍庫等における除霜用電熱器において、  上記枠体は、複数の押出形材を接合して形成され、  上記押出形材は、隣接同士が連通する係止溝が形成され、  上記押出形材同士を、上記係止溝内に嵌入して固定される連結部材を介して連結してなる、ことを特徴とする。この場合、上記係止溝は、狭隘開口部を有し、上記連結部材は、隣接する押出形材の係止溝内に嵌入される固定片を有し、固定片に固定ねじを螺合可能なねじ孔を設けてなり、上記固定片を上記係止溝内に嵌入した状態で、ねじ孔に螺合される固定ねじの先端部を係止溝の底部に押圧させて、固定片を係止溝の狭隘開口部に押圧固定してなる方が好ましい（請求項３）。
【００１０】
このように構成することにより、複数の押出形材の係止溝に連結部材を嵌入して固定することで、押出形材同士を連結して枠体を形成することができる。この場合、係止溝に、狭隘開口部を設け、連結部材を、隣接する押出形材の係止溝内に嵌入される固定片を有して形成すると共に、固定片に固定ねじを螺合可能なねじ孔を設けることにより、連結部材の固定片を係止溝内に嵌入した状態で、ねじ孔に螺合される固定ねじの先端部を係止溝の底部に押圧させて、固定片を係止溝の狭隘開口部に押圧固定することができる。
【００１１】
また、請求項４記載の発明は、請求項１ないし３記載のいずれかに記載の冷凍庫等における除霜用電熱器において、  上記枠体は、複数の凹溝の内外方向において枠体の外部と連通する第１の電熱線の案内用切欠きを設け、隣接する凹溝の内外方向において対向する部位に第２の電熱線の案内用切欠きを設けてなる、ことを特徴とする。
【００１２】
このように構成することにより、電熱線は、枠体の外部と連通する第１の電熱線の案内用切欠きを通って枠体の凹溝内に嵌入され、第１及び第２の電熱線の案内用切欠きを通って隣接する凹溝内に嵌入されることで、枠体の全域に電熱線を均一に配線することができる。
【発明の効果】
【００１３】
この発明によれば、上記のように構成されているので、次のような優れた効果が得られる。
【００１４】
（１）請求項１記載の発明によれば、ダクトの庫内側の外周に、庫内の壁面側に開口して連続する複数の凹溝を有する枠体を配置し、枠体の凹溝内に電熱線を嵌入することにより、ダクトの周囲を温めることができるので、ダクトの周囲への霜の発生を防止することができる。また、除霜用電熱器を庫体内のダクトの周囲に設けることにより、電熱器の設置及び交換を容易に行うことができると共に、形状に自由度を持たせることができる。
【００１５】
（２）請求項２記載の発明によれば、複数の押出形材の係止溝に連結部材を嵌入して固定することで、押出形材同士を連結して枠体を形成することができるので、上記（１）に加えて、更に枠体の作製を容易にすることができると共に、枠体の軽量化を図ることができる。この場合、係止溝に狭隘開口部を設け、連結部材を、隣接する押出形材の係止溝内に嵌入される固定片を設けて形成し、固定片に固定ねじを螺合可能なねじ孔を設けることにより、固定片を係止溝内に嵌入した状態で、ねじ孔に螺合される固定ねじの先端部を係止溝の底部に押圧させて、固定片を係止溝の狭隘開口部に押圧固定することができるので、押出形材同士を容易にかつ確実に連結することができると共に、枠体に孔開け加工等を施す必要がない上、美観の向上を図ることができ、かつ、連結部材に設けるねじ孔の位置に自由度を持たせることができる（請求項３）。
【００１６】
（３）請求項４記載の発明によれば、電熱線を、枠体の外部と連通する第１の電熱線の案内用切欠きを通して枠体の凹溝内に嵌入し、第１及び第２の電熱線の案内用切欠きを通して隣接する凹溝内に嵌入して枠体の全域に電熱線を配線することができるので、上記（１），（２）に加えて、更に枠体全体を均等に温めることができ、ダクトの周囲への霜の発生を確実に防止することができる。
【発明を実施するための最良の形態】
【００１７】
以下に、この発明に係る冷凍庫等における除霜用電熱器の最良の形態を添付図面に基づいて詳細に説明する。ここでは、この発明に係る冷凍庫等における除霜用電熱器を冷凍庫における外気吸引用のダクトに適用した場合について説明する。
【００１８】
図１は、この発明に係る冷凍庫等における除霜用電熱器の取付状態を示す概略斜視図、図２は、この発明に係る冷凍庫等における除霜用電熱器をダクトの周囲に取り付けた状態を示す断面図、図３は、この発明に係る冷凍庫等における除霜用電熱器の背面を示す背面図である。
【００１９】
上記除霜用電熱器１は、図１及び図２に示すように、食品等を保存する冷凍庫２において、冷凍庫２の内部と外部とを連通する外気吸引用のダクト３の庫内側の外周に設けられ、庫内の壁面側に開口して連続する複数の凹溝５１を有する枠体４と、凹溝５１内に嵌入される電熱線７とで主に構成されている。
【００２０】
上記ダクト３は、図２に示すように冷凍庫２の側壁において、冷凍庫２の内部と外部とを連通する取付孔２０に取り付けられるダクト本体３０と、ダクト本体３０の庫外側に装着されるカバー３１と、ダクト本体３０の庫内側に設けられダクト本体３０に対して開閉可能に連結されるリリーフ弁３２とで主に構成されている。この場合、リリーフ弁３２は、冷凍庫２内の圧力に応じて、庫内側に回動して開放することで、外気を冷凍庫２内に吸入することができる。
【００２１】
上記枠体４は、図３及び図５に示すように、複数（この場合４本）の押出形材５０を連結部材６０を介して額縁状に連結して形成されており、取付ねじ４０によって冷凍庫２内のダクト３の周囲の側壁に取り付けられている（図１，図２参照）。
【００２２】
上記押出形材５０は、図３ないし図５に示すように、例えばアルミニウム合金にて形成されており、庫内の壁面側に開口して連続する複数（この場合３列）の凹溝５１と、押出形材５０を連結した状態で、隣接同士が連通する狭隘開口状の係止溝５２が形成されている。また、押出形材５０は、押出形材５０同士を直角に連結するために、両端を４５°に傾斜させた略台形状に形成されている。
【００２３】
なお、上記枠体４は、図３に示すように、枠体４の一辺を形成する押出形材５０の端部付近に、複数の凹溝５１の内外方向において枠体４の外部と連通する第１の電熱線の案内用切欠き５３が設けられ、この第１の電熱線の案内用切欠き５３に隣接する側の押出形材５０の端部に、隣接する凹溝５１の内外方向において対向する部位に第２の電熱線の案内用切欠き５４が設けられている。
【００２４】
上記連結部材６０は、図３及び図５に示すように、隣接する押出形材５０の係止溝５２内に嵌入される２つの固定片６１を有する略Ｌ字状の板材にて形成されており、固定片６１に固定ねじ６３を螺合可能なねじ孔６２を設けて形成されている。
【００２５】
このように枠体４を形成することによって、連結部材６０の固定片６１を押出形材５０の係止溝５２内に嵌入し、ねじ孔６２に固定ねじ６３を螺合させると共に、固定ねじ６３の先端部６３ａを係止溝５２の底部５２ａに押圧させることで、固定片６１を係止溝５２の狭隘開口部５２ｂに押圧固定することができる。したがって、押出形材５０に孔開け加工等を施すことがなく、押出形材５０同士を連結して枠体４を形成することができる。この場合、連結部材６０は、図３に示すように、押出形材５０同士の連結部において外側部及び内側部に設けられている。
【００２６】
一方、上記電熱線７は、図３に示すように、枠体４の外部から第１の電熱線の案内用切欠き５３を通って外側の凹溝５１内に嵌入され、枠体４を時計回りに一周したところで、第２の電熱線の案内用切欠き５４を通って折り返して隣接する内方側の凹溝５１内に嵌入される。更に、枠体４を反時計回りに一周したところで、第１の電熱線の案内用切欠き５３を通って折り返して隣接する内方側の凹溝５１内に嵌入され、更に枠体４を時計回りに一周したところで、第１の電熱線の案内用切欠き５３を通って枠体４の外部へ配線される。
【００２７】
なお、上記案内用切欠き５３，５４の位置は、その機能が発揮できれば、任意の位置に設けてもよい。例えば、上記説明では第１の電熱線の案内用切欠き５３が上部側に設けられているが、下部側に設けるようにしてもよい。
【００２８】
このように電熱線７を枠体４の凹溝５１内に嵌入することによって、枠体４の全域に電熱線７を配線することができ、枠体４の全体を均等に温めることができる。
【００２９】
上記のような除霜用電熱器によれば、ダクト３の庫内側の外周に、庫内の壁面側に開口して連続する複数の凹溝５１を有する枠体４を配置し、凹溝５１内に電熱線７を嵌入することにより、ダクト３の周囲を温めることができるので、ダクト３の周囲への霜の発生を防止することができる。また、除霜用電熱器１を庫体内のダクト３の周囲に設けることにより、電熱器１の設置及び交換を容易に行うことができる。また、枠体４の係止溝５２に狭隘開口部５２ｂを設け、連結部材６０を、隣接する押出形材５０の係止溝５２内に嵌入される固定片６１を設けて形成し、固定片６１に固定ねじ６３を螺合可能なねじ孔６２を設けることにより、固定片６１を係止溝５２内に嵌入した状態で、ねじ孔６２に螺合される固定ねじ６３の先端部６３ａを係止溝５２の底部５２ａに押圧させて、固定片６１を係止溝５２の狭隘開口部５２ｂに押圧固定することができるので、押出形材５０同士を容易にかつ確実に連結することができると共に、枠体４に孔開け加工等を施す必要がない上、美観の向上を図ることができ、かつ、連結部材に設けるねじ孔の位置に自由度を持たせることができる。更にまた、枠体４の凹溝５１内の全域に電熱線７を配線することにより、枠体４全体を均等に温めることができるので、ダクト３の周囲への霜の発生を確実に防止することができる。
【００３０】
なお、上記説明においては、枠体４の形状が矩形状の場合について説明したが、枠体４の形状は必ずしも矩形状である必要はない。ダクト形状等の使用条件に合わせてその形状を、例えば六角形、八角形等の多角形状に適宜変更することにより、枠体４の形状に自由度を持たせることができる。この場合、連結部材６０の形状を枠体４の形状に合わせた形状すなわち隣接する押出形材５０の接合角度に合わせた固定片６１を有する形状にすればよい。
【図面の簡単な説明】
【００３１】
【図１】この発明に係る冷凍庫等における除霜用電熱器の取付状態を示す概略斜視図である。
【図２】この発明に係る冷凍庫等における除霜用電熱器をダクトの周囲に取り付けた状態を示す断面図である。
【図３】この発明に係る冷凍庫等における除霜用電熱器の背面を示す背面図である。
【図４】図３におけるＩ−Ｉ線に沿う拡大断面図である。
【図５】この発明における枠体の連結構造を示す分解斜視図である。
【符号の説明】
【００３２】
１  除霜用電熱器
３  ダクト
４  枠体
７  電熱線
５０  押出形材
５１  凹溝
５２  係止溝
５２ａ  底部
５２ｂ  狭隘開口部
５３  第１の電熱線の案内用切欠き
５４  第２の電熱線の案内用切欠き
６０  連結部材
６１  固定片
６２  ねじ孔
６３  固定ねじ
６３ａ  先端部
【図１】
2008133985.tif 000003
【図２】
2008133985.tif 000004
【図３】
2008133985.tif 000005
【図４】
2008133985.tif 000006
【図５】
2008133985.tif 000007